(57)【要約】【課題】  大容量の内容物が充填されるような場合であっても、横シール状態を良好に行うことのできる充填包装機を提供すること。【解決手段】  横シール機構５に設けられたそれぞれの横シール部材５Ｂの回転方向上流側の端縁箇所には、横シールロール５Ａの回転方向の上流側に向けて延びる断熱性材料からなる押圧絞り部８を設けてなることを特徴とする充填包装機。【選択図】  図３
2006219142.tif 000002
【特許請求の範囲】
【請求項１】
連続移送されるフイルムを、対をなす縦シールロール部材によって挟み付けながらフイルムの長手方向に沿って縦シールする縦シール機構と、この縦シール機構によって縦シールした筒状のフイルム内に内容物を充填する充填機構と、前記筒状のフイルムを送りつつフイルムの底部側および袋口側となる箇所をフイルムの幅方向に沿って対をなす横シールロールの横シール部材によって挟み付けながら所定の間隔にて横シールする横シール機構と、を備えた充填包装機において、前記横シール機構に設けられたそれぞれの横シール部材の回転方向上流側の端縁箇所には、横シールロールの回転方向の上流側に向けて延びる断熱性材料からなる押圧絞り部を設けてなることを特徴とする充填包装機。
【請求項２】
前記押圧絞り部は、横シールロールの回転方向の上流側に向けて徐々に肉厚寸法が薄肉となるように形成してなることを特徴とする請求項１に記載の充填包装機。
【請求項３】
前記押圧絞り部は、前記横シール部材に対して着脱可能に取り付け固定してなることを特徴とする請求項１または請求項２に記載の充填包装機。
【請求項４】
前記押圧絞り部は、前記横シールロールに対して着脱可能に取り付け固定してなることを特徴とする請求項１または請求項２に記載の充填包装機。
【発明の詳細な説明】
【技術分野】
【０００１】
本発明は、たとえばロール状に巻かれたフイルムロールからフイルムを引き出し移送しながら製袋しつつ、その包装袋内に液状体、粉粒体などの内容物を充填包装してなる充填包装機に関するものである。
【背景技術】
【０００２】
従来、この種の液状体などの内容物を充填包装してなる充填包装機においては、たとえば、ロール状に巻かれたフイルムロールのフイルムを繰り出し案内し、そのフイルムを対をなす縦シールロール部材によって挟み付けながらフイルムの長手方向に沿って縦シールして筒状に製袋し、筒状のフイルムを送りつつフイルムの底部側および袋口側となる箇所をフイルムの幅方向に沿って対をなす横シールロールの横シール部材によって挟み付けながら横シールする回転ロールタイプのシール機構によって縦横シールした包装袋を連続的に製袋する充填包装機が知られている。（たとえば、特許文献１を参照。）
【特許文献１】特開平６−９９９１４号公報
【発明の開示】
【発明が解決しようとする課題】
【０００３】
特許文献１などによる充填包装機においては、連続して送り出される包装袋を横シール機構の下流側にてカッター機構によって包装袋の横シール部箇所にミシン目を入れたり、全カットして一個ごと包装袋を分離して搬出するようにしている。
【０００４】
ところで、上述した従来の充填包装機にあっては、連続して形成される包装袋の大きさが小さく包装袋内に充填される内容物の量が少ない場合にあってはさほど問題はないが、包装袋の横シール間隔（シールピッチ）が広く内容物の量が多い大容量の包装袋を生産する場合にあっては、連続して筒状に吊り下げられて搬送されてくる包装袋内の内容物がその包装袋の下端側に集まりながら、しかも包装袋の中央側が膨らんでしまい、その膨らんだ状態にて移送された筒状に形成された包装フイルムの幅方向に沿って横シール機構に設けられた対をなす横シールロールの横シール部材によって挟み付けながら所定の間隔にて横シールする際に、横シール機構の横シール部材の回転移動に伴い、筒状の包装袋を外面側から押し当てながらフイルムの移送と同期してヒートシールされる。この際、横シール部材によって筒状の包装袋の中央側が最初に接触しながら押し潰される状態となり、その筒状のフイルム箇所を基点としてフイルム幅方向全体が押されてしまうためにフイルムに弛みが生じた状態にて横シールされてしまい、結果としてフイルムが部分的に折り重なる状態となるためシワが発生してしまいやすく、横シール箇所にシール不良が発生してしまうことがある。
【０００５】
そこで本発明の目的とするところは、大容量の内容物が充填されるような場合であっても、フイルムの送りを行いながら、シワの発生を抑えつつ横シール状態を良好に行うことのできる充填包装機を提供することにある。
【課題を解決するための手段】
【０００６】
本発明では、請求項１に記載した充填包装機のように、連続移送されるフイルムを、対をなす縦シールロール部材によって挟み付けながらフイルムの長手方向に沿って縦シールする縦シール機構と、この縦シール機構によって縦シールした筒状のフイルム内に内容物を充填する充填機構と、前記筒状のフイルムを送りつつフイルムの底部側および袋口側となる箇所をフイルムの幅方向に沿って対をなす横シールロールの横シール部材によって挟み付けながら所定の間隔にて横シールする横シール機構と、を備えた充填包装機において、前記横シール機構に設けられたそれぞれの横シール部材の回転方向上流側の端縁箇所には、横シールロールの回転方向の上流側に向けて延びる断熱性材料からなる押圧絞り部を設けてなるものである。
【０００７】
また、請求項２に記載のように、請求項１に記載の充填包装機において、前記押圧絞り部は、横シールロールの回転方向の上流側に向けて徐々に肉厚寸法が薄肉となるように形成してなるものである。
【０００８】
また、請求項３に記載のように、請求項１または請求項２に記載の充填包装機において、前記押圧絞り部は、前記横シール部材に対して着脱可能に取り付け固定してなるものである。
【０００９】
また、請求項４に記載のように、請求項１または請求項２に記載の充填包装機において、前記押圧絞り部は、前記横シールロールに対して着脱可能に取り付け固定してなるものである。
【発明の効果】
【００１０】
本発明においては、連続移送されるフイルムを、対をなす縦シールロール部材によって挟み付けながらフイルムの長手方向に沿って縦シールする縦シール機構と、この縦シール機構によって縦シールした筒状のフイルム内に内容物を充填する充填機構と、前記筒状のフイルムを送りつつフイルムの底部側および袋口側となる箇所をフイルムの幅方向に沿って対をなす横シールロールの横シール部材によって挟み付けながら所定の間隔にて横シールする横シール機構と、を備えた充填包装機において、前記横シール機構に設けられたそれぞれの横シール部材の回転方向上流側の端縁箇所には、横シールロールの回転方向の上流側に向けて延びる断熱性材料からなる押圧絞り部を設けてなることを特徴とするものであり、フイルムの繰り出しと合わせて横シール箇所の手前側にて筒状フイルムの外面側を断熱性材料からなる押圧絞り部によって挟み付けながら筒状フイルムを移送することによって、筒状フイルム内に充填されている内容物が徐々に絞り出されると同時に、押圧絞り部によって筒状フイルムの膨らみ部分が徐々に扁平状態に絞り込まれて繰り出される。この状態にて横シール機構の横シール部材によって筒状フイルムを外面側から押し当てながらフイルムの移送と同期してヒートシールされるため、フイルム自体が扁平状態に繰り出された状態にて横シールすることができ、シワのない状態にて横シール機構によって横シールすることができ、これによりシール不良を削減することのできる充填包装機を提供することができるものであり、初期の目的を達成することができる。
【発明を実施するための最良の形態】
【００１１】
以下、本発明に係る充填包装機を図面に基づいて説明する。図１から図６は本発明の実施形態を示すものである。
【００１２】
同図において、充填包装機の全体概要の構成として、包装フイルムＦを巻回したフイルムロールＲが充填包装機の側方に設けられた保持枠１に装着されて支持されており、前記フイルムロールＲから引き廻し案内された包装フイルムＦは、所定のテンションが付与されながら一端上方へとフイルム案内機構２を介して充填包装機の上部側へと繰り出し案内され、フイルム案内機構２により充填包装機の上部側へと繰り出し案内されたフイルムＦはフイルム折り返し機構３により包装フイルムＦの長手方向に沿って二つ折りに折り返して下方側へと引き出し案内するように構成している。
【００１３】
この第１実施形態においては、この下方へ引き出し搬送される二つ折りのフイルムＦは、縦シール機構４へと案内される。縦シール機構４は、サーボモータからなる駆動手段Ｍ１によって回転可能に設けられ、対向する一対の縦シールロール４Ａの外周に設けられた縦シールロール部材４Ｂによって、二つ折りに折り返されたフイルムＦが縦方向にヒートシールすることによって縦シールＦＨが形成される。また、縦シール機構４においては、一対の縦ヒートシールロール４Ａに装着される少なくとも一対の縦シールロール部材４ＢによってフイルムＦを挟持して縦シールＦＨするとともに、フイルムＦを引き出し案内可能に設けている。次いで縦シール機構４の下方すなわちフイルムＦの搬送される下流側に配設された横シール機構５によってヒートシールされて横シールＦＳ箇所が形成される。
【００１４】
横シール機構５は、たとえばサーボモータからなる駆動手段Ｍ２によって回転可能に設けられ、対向する一対の横シールロール５Ａの外周の幅方向に沿ってそれぞれ設けられた横シール部材５Ｂによって、横方向に所定の間隔を置いてヒートシールされて包装フイルムＦに横シールＦＳ箇所が形成され、この横シールＦＳ箇所により包装袋Ｐとなる有底筒状に底部が形成され、これにより有底筒状に形成された包装フイルムＦ内に充填機構６の充填ノズル部６Ａからポンプ６Ｂを介して内容物Ｗが充填され、続いて包装フイルムＦを送り出した後に横シール機構５の横シールロール５Ａに設けられた横シール部材５Ｂにより包装フイルムＦの袋口部となる箇所を横ヒートシールし、この横ヒートシールによる横シールＦＳによって内容物Ｗが封止され、次々と連続した状態で内容物Ｗが充填された包装袋Ｐが下方へと連続して搬送されるように構成されている。
【００１５】
また前記充填機構６は、たとえば内容物Ｗを供給するためのポンプ６Ｂが設けられており、このポンプ６Ｂはサーボモータからなる駆動手段Ｍ３の回転作動によって内容物Ｗが充填供給可能に設けられている。
【００１６】
また、前記横シール機構５の下方側には、上下に連続した状態の充填包装袋Ｐの横シールＦＳ箇所のほぼ中央部を切り離して搬出することのできる全カット用のカッタ刃と受け刃を備えたカッター機構７が配設されている。この実施形態においては、全カット用のカッタ刃を備えたカッター機構７のみを設けているが、場合によってはミシン目を入れる第１のカッター機構を備えるようにし、またその後工程に全カット用のカッタ刃を備えた第２のカッター機構を備えるようにしても良い。
【００１７】
なお、カッター機構７には、一方のカッタ刃を回転駆動するためのサーボモータからなる駆動手段Ｍ４によって回転可能に設けられている。
【００１８】
ところで、本実施形態においては、一対の横シールロール５Ａの外面側に取り付け固定されるそれぞれの横シール部材５Ｂの回転方向上流側の端縁箇所には、横シールロール５Ａの回転方向の上流側に向けて延びる断熱性材料からなる押圧絞り部８が設けられている。この場合、押圧絞り部８としては、断熱性材料であり、かつ耐熱性材料でもある、たとえばフッ素樹脂やポリフェニレンサルファイド樹脂などの材料にて形成されている。この押圧絞り部８は、、ボルトなどの固定部材９を介して横シール部材５Ｂに着脱可能にして、位置調整自在に取り付け固定されている。
【００１９】
なお、押圧絞り部８の形状や大きさ厚みなどの寸法設定としては、包装袋Ｐの大きさやフイルムＦの材質あるいは充填される内容物Ｗの量やフイルムＦの送り速度などの包装仕様条件に合わせて設定するように構成すればよいが、包装袋Ｐが嵩張りやすい形態にあっては、押圧絞り部８の形状として、横シールロールの回転方向の上流側に向けて徐々に肉厚寸法が薄肉となるように形成することが望ましい。
【００２０】
従って、上記構成からなる本発明の充填包装機は、フィルム折返し機構２の下流側に配設した、縦シール機構４が駆動手段Ｍ１の作動によって、二つ折りに折り返されたフィルムＦの各折返し縁部同志（左右両縁部）が縦シールロール部材４Ｂによって挟み付けられるため、フィルムＦを繰り出しながらフィルムＦの縦方向に沿って縦シールＦＨが施され、次いで横シール機構５が駆動手段Ｍ２の作動によって、対向する一対の横シールロール５Ａの外周の幅方向に沿ってそれぞれ設けられた横シール部材５Ｂによって包装フイルムＦに横シールＦＳ箇所が形成されるとともに、有底筒状に形成された包装フイルムＦ内に駆動手段Ｍ３による回転作動に伴い充填機構６の充填ノズル部６Ａからポンプ６Ｂを介して内容物Ｗが充填され、続いて包装フイルムＦを送り出された後に同様にして横シール機構５の横シールロール５Ａに設けられた横シール部材５Ｂにより包装フイルムＦの袋口部となる箇所がヒートシールされ、この横ヒート部材５Ｂによって横シールＦＳによって内容物Ｗが封止され、続いてカッター機構７が駆動手段Ｍ４の作動によって、対向する一方のカッタ刃が回転駆動されることにより横シールＦＳ箇所の略中間部分が切断され、これにより次々と連続した状態で内容物Ｗが充填された包装袋Ｐが一個ごと分離状態にして下方へと連続して搬出される。
【００２１】
また、本実施形態にあっては、横シール機構５に設けられたそれぞれ対をなす横シール部材５Ｂの回転方向上流側の端縁箇所には、横シールロール５Ａの回転方向の上流側に向けて延びる断熱性材料からなる押圧絞り部８を設けてなることにより、フイルムＦの繰り出しと合わせて横シールＦＳ箇所の手前側にて筒状フイルムＦの外面側を断熱性材料からなる押圧絞り部８によって挟み付けながら筒状フイルムＦを移送することにより、筒状フイルムＦ内に充填されている内容物Ｗが徐々に絞り出されると同時に、押圧絞り部８によって筒状フイルムＦの膨らみ部分が徐々に扁平状態に絞り込まれて繰り出される。この状態にて横シール機構５の横シール部材５Ｂによって筒状フイルムＦを外面側から押し当てながらフイルムＦの移送と同期してヒートシールされるため、フイルムＦ自体が扁平状態に繰り出された状態にて横シールＦＳすることができ、シワのない状態にて横シール機構５によって横シールＦＳすることができ、これによりシール不良を従来に比べて削減することができる。
【００２２】
この際、押圧絞り部８の形状として、横シールロール５Ａの回転方向の上流側に向けて徐々に肉厚寸法が薄肉となるように形成することにより、たとえば内容物Ｗの量が多い大容量の包装袋Ｐであったとしても、図３に示す状態から図４に示すように、横シール機構５の回転に連れて押圧絞り部８の薄肉部側が最初に筒状フイルムＦの外面側と接触し、筒状フイルムＦの両外面側が挟み付けられて絞り込まれる。
【００２３】
続いて、横シール機構５の回転に連れて押圧絞り部８の薄肉部位置から肉厚部側へと徐々に移行するに連れて筒状フイルムＦ内に充填されている内容物Ｗが徐々に絞り出されると同時に、筒状フイルムＦの膨らみ部分が徐々に扁平状態に絞り込まれながら成形され、図５に示すように、対をなす押圧絞り部８の外面同士が突き合わされる状態（フイルムＦを扁平状態に挟んだ状態）へと移行する。
【００２４】
次いで、図６に示すように、フイルムＦの移送と同期して横シールロール５Ａの回転によって押圧絞り部８位置から横シール部材５Ｂへと移行することにより、筒状フイルムＦ自体が扁平状態に繰り出された状態にてフイルムＦの両外面側が挟み付けられながらヒートシールされるため、シワの発生を予防しながら横シールＦＳすることができ、これによりシール不良の発生を抑えることができる。
【００２５】
また、押圧絞り部８は、包装袋Ｐの大きさやフイルムＦの材質あるいは充填される内容物Ｗの量やフイルムＦの送り速度などの包装仕様条件に合わせて押圧絞り部８の形状や大きさ・厚みなどを設定するように構成している。この際、横シール部材５Ｂと隣接する側の押圧絞り部８の外周表面部分は、ほぼ横シール部材５Ｂのシール面と同一の高さあるいは若干低い状態に設定するにより、フイルムＦの扁平状態を持続しながら横シール動作へと良好に移行することができる。
【００２６】
なお、この実施形態にあっては、押圧絞り部８を横シール部材５Ｂに対して着脱可能に取り付け固定してなることにより、包装仕様条件に合わせた押圧絞り部８を固定部材９を介して交換可能（着脱可能）に設けることができ、簡単にして適正状態にて品種に応じた包装袋Ｐの外面側の加圧条件を設定することができる。
【００２７】
また、図７に示すように、他の実施形態として、横シール機構５に設けられたそれぞれ対をなす横シール部材５Ｂの回転方向上流側の端縁箇所に位置して、横シール機構５の横シールロール５Ａに対して押圧絞り部８Ａが固定部材９Ａによって廻し締め固定されるように構成されている。
【００２８】
従って、この実施形態も同様にして、フイルムＦの繰り出しと合わせて横シールＦＳ箇所の手前側にて筒状フイルムＦの外面側を断熱性材料からなる押圧絞り部８Ａによって挟み付けながら筒状フイルムＦを移送することにより、筒状フイルムＦ内に充填されている内容物Ｗが徐々に絞り出されると同時に、押圧絞り部８Ａによって筒状フイルムＦの膨らみ部分が徐々に扁平状態に絞り込まれて繰り出される。この状態にて横シール機構５の横シール部材５Ｂによって筒状フイルムＦを外面側から押し当てながらフイルムＦの移送と同期してヒートシールされるため、フイルムＦ自体が扁平状態に繰り出された状態にて横シールＦＳすることができ、シワのない状態にて横シール機構５によって横シールＦＳすることができる。
【００２９】
なお、本発明に係る充填包装機においては、縦シール機構４と横シール機構５とのよって三方シールによる包装袋Ｐを形成していたが、縦シール機構４の縦シール部材５Ｂを包装袋Ｐの両側に設置して四方シールするタイプであってもよいものであり、また、本発明の実施形態では、カッター機構７の駆動手段として回転機構を用いたが、往復動作によるカッター機構を用いてもよい。
【図面の簡単な説明】
【００３０】
【図１】本発明の実施形態の充填包装機を示す全体概要正面図である。
【図２】図２は、図１の充填包装機において、横シール状態を示す全体概要側面図である。
【図３】図３は、本発明の主要部構造である押圧絞り部を含む横シール機構を主体に示した断面図である。
【図４】図４は、図３の横シール機構の作動状態を主体に示した動作説明図である。
【図５】図５は、図４に続く横シール機構の作動状態を主体に示した動作説明図である。
【図６】図６は、図５に続く横シール機構の作動状態を主体に示した動作説明図である。
【図７】図７は、本発明の他の実施形態である横シール機構を主体に示した要部の断面図である。
【符号の説明】
【００３１】
１    保持枠
２    フイルム案内機構
３    フイルム折返し機構
４    縦シール機構
４Ａ  縦シールロール
４Ｂ  縦シールロール部材
５    横シール機構
５Ａ  横シールロール
５Ｂ  横シール部材
６    充填機構
７    カッター機構
８    押圧絞り部
８Ａ  押圧絞り部
９    固定部材
９Ａ  固定部材
Ｆ    フイルム
ＦＨ  縦シール
ＦＳ  横シール
Ｒ    フイルムロール
Ｗ    内容物
【図１】
2006219142.tif 000003
【図２】
2006219142.tif 000004
【図３】
2006219142.tif 000005
【図４】
2006219142.tif 000006
【図５】
2006219142.tif 000007
【図６】
2006219142.tif 000008
【図７】
2006219142.tif 000009